【手続補正書】
【提出日】平成16年2月5日(2004.2.5)
【手続補正１】
【補正対象書類名】明細書
【補正対象項目名】発明の名称
【補正方法】変更
【補正の内容】
【発明の名称】料金収受システムにおける車載器アプリケーションの更新方法、更新設備及び同設備の地上機、車載器
【手続補正２】
【補正対象書類名】明細書
【補正対象項目名】特許請求の範囲
【補正方法】変更
【補正の内容】
【特許請求の範囲】
【請求項１】
料金所に設置されて情報処理、料金計算等を行う地上機と、車両に搭載されて車種情報、通行経路情報等を記録した車載器との交信により車両の走行料金収受を行うシステムにおいて、料金収受プログラムとその版数情報を収録した車載器から同版数情報を前記地上機に送信し、更新料金収受プログラムとその版数情報を収録した前記地上機の版数情報と比較し、車載器の版数情報が古い時には更新料金収受プログラムを車載器に送信して車載器の料金収受プログラムを更新するようにしたことを特徴とする料金収受システムにおける車載器アプリケーションの更新方法。
【請求項２】
料金所に設置されて情報処理、料金計算等を行う地上機と、車両に搭載されて車種情報、通行経路情報等を記録した車載器との交信により車両の走行料金収受を行う設備において、更新料金収受プログラムとその版数情報を収録する手段と、この版数情報を前記車載器に収録した料金収受プログラムの版数情報と比較して車載器の版数情報が古い時には更新料金収受プログラムを車載器に送信する手段とを前記地上機に設け、車両に搭載される料金収受プログラムとその版数情報を収録する手段と、この版数情報を前記地上機に送信する手段と、更に前記地上機から更新料金収受プログラムの送信を受けて車載器の料金収受プログラムを更新する手段とを前記車載器に設けてなることを特徴とする料金収受システムにおける車載器アプリケーションの更新設備。
【請求項３】
料金所に設置され、更新料金収受プログラムとその版数情報を収録する手段と、同更新料金収受プログラムを車載器に送信する手段とを有してなり、同送信する手段は、車両に搭載された車載器から当該車両の車種情報、通行経路情報と共に送信される料金収受プログラムの版数情報を受けて前記更新料金収受プログラムの版数情報と比較し、車載器の版数情報が古い時には更新料金収受プログラムを車載器に送信することを特徴とする料金収受システムにおける車載器アプリケーション更新設備の地上機。
【請求項４】
車両に搭載されて設けられ、料金収受プログラムとその版数情報を収録する手段と、この版数情報を地上機に送信する手段と、前記料金収受プログラムを更新する手段を有してなり、同更新する手段は、前記料金収受プログラムの版数情報が前記地上機の更新料金収受プログラムの版数情報より古い時に同地上機より更新料金収受プログラムの送信を受けて前記料金収受プログラムを更新することを特徴とする料金収受システムにおける車載器アプリケーション更新設備の車載器。
【請求項５】
前記車載器から地上機に版数情報を送信して地上機で比較し車載器で更新することに代えて、更新料金収受プログラムとその版数情報を収録したＩＣカードを車載器で読み取り、同ＩＣカードの版数情報が車載器のものより新しいことを認識した後、車載器の料金収受プログラムを更新するようにしたことを特徴とする請求項１に記載の料金収受システムにおける車載器アプリケーションの更新方法。
【請求項６】
料金所に設置されて情報処理、料金計算等を行う地上機と、車両に搭載されて車種情報、通行経路情報等を記録した車載器との交信により車両の走行料金収受を行う設備において、前記請求項２における各手段に代えて、車両に搭載される料金収受プログラムとその版数情報を収録すると共に、更新料金収受プログラムとその版数情報を収録したＩＣカードを読み取り、同ＩＣカードの版数情報を車載器の版数情報と比較して同ＩＣカードの版数情報が前記料金収受プログラムの版数より新しいことを認識した後、同料金収受プログラムを更新する手段とを前記車載器に設けてなることを特徴とする請求項２に記載の料金収受システムにおける車載器アプリケーションの更新設備。
【手続補正３】
【補正対象書類名】明細書
【補正対象項目名】００２０
【補正方法】変更
【補正の内容】
【００２０】
すなわち本発明の第１の手段によれば、車載器に収録した料金収受プログラムの版数情報を地上機に伝え、地上機に収録した更新料金収受プログラムの版数情報と比べ、その結果車載器側の版数情報が古いと認識したら同車載器側の料金収受プログラムを更新して更新料金収受プログラムに変えるものであり、この一連の処理を車両が料金所を通過する時に行い、車両個々に搭載されて分散している料金収受プログラムの更新処理を、容易、適切かつ合理的に行うようにしたものである。
また、本発明は第２の手段として、料金所に設置されて情報処理、料金計算等を行う地上機と、車両に搭載されて車種情報、通行経路情報等を記録した車載器との交信により車両の走行料金収受を行う設備において、更新料金収受プログラムとその版数情報を収録する手段と、この版数情報を前記車載器に収録した料金収受プログラムの版数情報と比較して車載器の版数情報が古い時には更新料金収受プログラムを車載器に送信する手段とを前記地上機に設け、車両に搭載される料金収受プログラムとその版数情報を収録する手段と、この版数情報を前記地上機に送信する手段と、更に前記地上機から更新料金収受プログラムの送信を受けて車載器の料金収受プログラムを更新する手段とを前記車載器に設けてなる料金収受システムにおける車載器アプリケーションの更新設備を提供するものである。
すなわち本発明の第２の手段によれば、前記第１の手段と同様に、所定の料金収受と必要な車載器側の料金収受プログラムの更新を含む一連の処理を車両が料金所を通過する時に行い、車両個々に搭載されて世間に分散している料金収受プログラムの更新処理を、容易、適切かつ合理的に行うようにしたものである。
また、本発明は第３の手段として、料金所に設置され、更新料金収受プログラムとその版数情報を収録する手段と、同更新料金収受プログラムを車載器に送信する手段とを有してなり、同送信する手段は、車両に搭載された車載器から当該車両の車種情報、通行経路情報と共に送信される料金収受プログラムの版数情報を受けて前記更新料金収受プログラムの版数情報と比較し、車載器の版数情報が古い時には更新料金収受プログラムを車載器に送信する料金収受システムにおける車載器アプリケーション更新設備の地上機を提供するものである。
すなわち本発明の第３の手段によれば、車両の車種情報、通行経路情報または料金収受プログラムの版数情報等を提供する車載器と共働して、所定の料金収受と必要な車載器側の料金収受プログラムの更新を含む一連の処理を車両が料金所を通過する時に行い、車両個々に搭載されて世間に分散している料金収受プログラムの更新処理を、容易、適切かつ合理的に行い得る好適な地上機の確保を図るものである。
また、本発明は第４の手段として、車両に搭載されて設けられ、料金収受プログラムとその版数情報を収録する手段と、この版数情報を地上機に送信する手段と、前記料金収受プログラムを更新する手段を有してなり、同更新する手段は、前記料金収受プログラムの版数情報が前記地上機の更新料金収受プログラムの版数情報より古い時に同地上機より更新料金収受プログラムの送信を受けて前記料金収受プログラムを更新する料金収受システムにおける車載器アプリケーション更新設備の車載器を提供するものである。
すなわち本発明の第４の手段によれば、料金収受プログラムの版数情報の送信先となる地上機と共働して、所定の料金収受と必要な車載器側の料金収受プログラムの更新を含む一連の処理を車両が料金所を通過する時に行い、車両個々に搭載されて世間に分散している料金収受プログラムの更新処理を、容易、適切かつ合理的に行い得る好適な車載器の確保を図るものである。
【手続補正４】
【補正対象書類名】明細書
【補正対象項目名】００２１
【補正方法】変更
【補正の内容】
【００２１】
また、本発明は第５の手段として、前記第１の手段において、前記車載器から地上機に版数情報を送信して地上機で比較し車載器で更新することに代えて、更新料金収受プログラムとその版数情報を収録したＩＣカードを車載器で読み取り、同ＩＣカードの版数情報が車載器のものより新しいことを認識した後、車載器の料金収受プログラムを更新するようにした料金収受システムにおける車載器アプリケーションの更新方法を提供するものである。


【手続補正５】
【補正対象書類名】明細書
【補正対象項目名】００２２
【補正方法】変更
【補正の内容】
【００２２】
すなわち本発明の第５の手段によれば、車載器に搭載した料金収受プログラムに対して、その版数情報をＩＣカードに収録した更新料金収受プログラムの版数情報と比較し、ＩＣカードの版数情報が車載器のものより新しいことを認識した時、同車載器の料金収受プログラムをＩＣカードの更新料金収受プログラムに更新するものであり、この一連の処理をＩＣカードという簡便な媒体を通して、至極容易、適切かつ合理的に行うようにしたものである。
そしてまた本発明は第６の手段として、料金所に設置されて情報処理、料金計算等を行う地上機と、車両に搭載されて車種情報、通行経路情報等を記録した車載器との交信により車両の走行料金収受を行う設備において、前記本発明の第２の手段における各手段に代えて、前記車載器に設けられ車両に搭載される料金収受プログラムとその版数情報を収録すると共に、更新料金収受プログラムとその版数情報を収録したＩＣカードを読み取り、同ＩＣカードの版数情報を車載器の版数情報と比較して同ＩＣカードの版数情報が前記料金収受プログラムの版数より新しいことを認識した後、同料金収受プログラムを更新する手段を有してなる料金収受システムにおける車載器アプリケーションの更新設備を提供するものである。
すなわち本発明の第６の手段によれば、前記第５の手段と同様に一連の処理をＩＣカードという簡便な媒体を通して、至極容易、適切かつ合理的に行うようにしたものである。
【手続補正６】
【補正対象書類名】明細書
【補正対象項目名】００５２
【補正方法】変更
【補正の内容】
【００５２】
【発明の効果】
以上、請求項１に記載の発明によれば、料金所に設置されて情報処理、料金計算等を行う地上機と、車両に搭載されて車種情報、通行経路情報等を記録した車載器との交信により車両の走行料金収受を行うシステムにおいて、料金収受プログラムとその版数情報を収録した車載器から同版数情報を前記地上機に送信し、更新料金収受プログラムとその版数情報を収録した前記地上機の版数情報と比較し、車載器の版数情報が古い時には更新料金収受プログラムを車載器に送信して車載器の料金収受プログラムを更新するようにして料金収受システムにおける車載器アプリケーションの更新方法を構成しているので、車載器に収録した料金収受プログラムの版数情報を地上機に伝え、地上機に収録した更新料金収受プログラムの版数情報と比べ、その結果車載器側の版数情報が古いと認識したら同車載器側の料金収受プログラムを更新して更新料金収受プログラムに変えるという一連の処理を車両が料金所を通過する時に行い、車両個々に搭載されて分散している料金収受プログラムの更新処理を、容易、適切かつ合理的に行い、同更新処理に要する膨大な手間・負担を大幅に軽減し、経済的効果を高めた手法を得ることが出来たものである。
また、請求項２に記載の発明によれば、更新料金収受プログラムとその版数情報を収録する手段と、この版数情報を前記車載器に収録した料金収受プログラムの版数情報と比較して車載器の版数情報が古い時には更新料金収受プログラムを車載器に送信する手段とを前記地上機に設け、車両に搭載される料金収受プログラムとその版数情報を収録する手段と、この版数情報を前記地上機に送信する手段と、更に前記地上機から更新料金収受プログラムの送信を受けて車載器の料金収受プログラムを更新する手段とを前記車載器に設けて料金収受システムにおける車載器アプリケーションの更新設備を構成しているので、前記請求項１の発明と同様に一連の処理を車両が料金所を通過する時に行い、車両個々に搭載されて分散している料金収受プログラムの更新処理を、容易、適切かつ合理的に行い、同更新処理に要する膨大な手間・負担を大幅に軽減し、経済的効果を高めた設備を得ることが出来たものである。
また、請求項３に記載の発明によれば、料金所に設置され、更新料金収受プログラムとその版数情報を収録する手段と、同更新料金収受プログラムを車載器に送信する手段とを有してなり、同送信する手段は、車両に搭載された車載器から当該車両の車種情報、通行経路情報と共に送信される料金収受プログラムの版数情報を受けて前記更新料金収受プログラムの版数情報と比較し、車載器の版数情報が古い時には更新料金収受プログラムを車載器に送信する料金収受システムにおける車載器アプリケーション更新設備の地上機を構成しているので、車両の車種情報、通行経路情報または料金収受プログラムの版数情報等を提供する車載器と共働して、所定の料金収受と必要な車載器側の料金収受プログラムの更新を含む一連の処理を車両が料金所を通過する時に行い、車両個々に搭載されて世間に分散している料金収受プログラムの更新処理を、容易、適切かつ合理的に行い、同更新処理に要する膨大な手間・負担を大幅に軽減し、経済的効果を高める好適な地上機を得ることが出来たものである。
また、請求項４に記載の発明によれば、車両に搭載されて設けられ、料金収受プログラムとその版数情報を収録する手段と、この版数情報を地上機に送信する手段と、前記料金収受プログラムを更新する手段を有してなり、同更新する手段は、前記料金収受プログラムの版数情報が前記地上機の更新料金収受プログラムの版数情報より古い時に同地上機より更新料金収受プログラムの送信を受けて前記料金収受プログラムを更新する料金収受システムにおける車載器アプリケーション更新設備の車載器を構成しているので、料金収受プログラムの版数情報の送信先となる地上機と共働して、所定の料金収受と必要な車載器側の料金収受プログラムの更新を含む一連の処理を車両が料金所を通過する時に行い、車両個々に搭載されて世間に分散している料金収受プログラムの更新処理を、容易、適切かつ合理的にに行い、同更新処理に要する膨大な手間・負担を大幅に軽減し、経済的効果を高める好適な車載器を得ることが出来たものである。
【手続補正７】
【補正対象書類名】明細書
【補正対象項目名】００５３
【補正方法】変更
【補正の内容】
【００５３】
また、請求項５に記載の発明によれば、前記請求項１に記載の発明において、前記車載器から地上機に版数情報を送信して地上機で比較し車載器で更新することに代えて、更新料金収受プログラムとその版数情報を収録したＩＣカードを車載器で読み取り、同ＩＣカードの版数情報が車載器のものより新しいことを認識した後、車載器の料金収受プログラムを更新するようにして料金収受システムにおける車載器アプリケーションの更新方法を構成しているので、車載器に搭載した料金収受プログラムに対して、その版数情報をＩＣカードの更新料金収受プログラムの版数情報と比較し、ＩＣカードの版数情報が車載器のものより新しいことを認識した時、同車載器の料金収受プログラムをＩＣカードの更新料金収受プログラムに更新するという一連の処理をＩＣカードという簡便な媒体を通して、至極容易、適切かつ合理的に行い、不特定多数の利用者に分散された更新処理に要する膨大な手間・負担を大幅に軽減し、経済的効果を高めた手法を得ることが出来たものである。
そしてまた、請求項６に記載の発明によれば、前記請求項２に記載の発明における各手段に代えて、車載器に設けられ車両に搭載される料金収受プログラムとその版数情報を収録すると共に、更新料金収受プログラムとその版数情報を収録したＩＣカードを読み取り、同ＩＣカードの版数情報を車載器の版数情報と比較して同ＩＣカードの版数情報が前記料金収受プログラムの版数より新しいことを認識した後、同料金収受プログラムを更新する手段を有してなる料金収受システムにおける車載器アプリケーションの更新設備を構成しているので、前記請求項５の発明と同様に一連の処理をＩＣカードという簡便な媒体を通して、至極容易、適切かつ合理的に行い、不特定多数の利用者に分散された更新処理に要する膨大な手間・負担を大幅に軽減し、経済的効果を高めた設備を得ることが出来たものである。